(57)【要約】【課題】表示領域に表示される画像に応じて、明るさムラの補正を好適に行うことが出来る液晶表示装置を提供する。【解決手段】液晶表示装置１００において、液晶表示装置１００に出力される画像データが、予め設定された条件を満たすか否かにより、補正プログラム１２５ｂによる当該画像データの補正を行うか否かを決定プログラム１２５ｆにより決定することが出来るように構成した。【選択図】図１
2010097102.tif 000002
【特許請求の範囲】
【請求項１】
画像データに基づく画像を表示する表示領域を複数のサブ表示領域に分割した液晶パネルと、当該サブ表示領域の各々に対応して配置された複数の光源からなるバックライトと、前記光源ごとの輝度のバラツキに関する輝度調整データを記憶する記憶手段と、前記記憶手段により記憶された輝度調整データに基づいて、前記光源から出力され前記液晶パネルを通過した光の輝度の前記光源間のバラツキをなくすように、画像データを補正する補正手段と、を備えた液晶表示装置において、
前記画像データが、予め設定された条件を満たすか否かにより、前記補正手段による補正を行うか否かを決定する決定手段を備え、
前記補正手段は、前記決定手段により前記補正を行うと決定された場合に前記補正を行うことを特徴とする液晶表示装置。
【請求項２】
請求項１に記載の液晶表示装置において、
前記画像データに基づく画像が静止画像であるか否かを判断する静止画像判断手段を備え、
前記決定手段は、
前記静止画像判断手段により当該画像が静止画像であると判断された場合に、前記補正手段により前記補正を行うと決定することを特徴とする液晶表示装置。
【請求項３】
請求項１に記載の液晶表示装置において、
前記画像データに基づく画像に使用された同色の当該画像全体に占める比率を算出する比率算出手段と、
前記比率算出手段により算出された前記比率が所定値を上回るか否かを判断する比率判断手段と、を備え、
前記決定手段は、
前記比率判断手段により前記比率が所定値を上回ると判断された場合に、前記補正手段により前記補正を行うと決定することを特徴とする液晶表示装置。
【請求項４】
請求項１に記載の液晶表示装置において、
フレーム間の画像データを比較して、画像データの変化量を算出する変化量算出手段と、
前記変化量算出手段より算出された変化量が所定値を下回るか否かを判断する変化量判断手段と、を備え、
前記決定手段は、
前記変化量判断手段により前記変化量が所定値を下回ると判断された場合に、前記補正手段により前記補正を行うと決定することを特徴とする液晶表示装置。
【請求項５】
画像データに基づく画像を表示する表示領域を複数のサブ表示領域に分割した液晶パネルと、当該サブ表示領域の各々に対応して配置され所定の輝度で発光する複数のＬＥＤ光源からなるバックライトと、前記ＬＥＤ光源ごとの輝度のバラツキに関する輝度調整データを記憶する記憶手段と、前記記憶手段により記憶された輝度調整データに基づいて、前記ＬＥＤ光源から出力され前記液晶パネルを通過した光の輝度の前記ＬＥＤ光源間のバラツキをなくすように、画像データを補正する補正手段と、を備えた液晶表示装置において、
前記画像データが、予め設定された条件を満たすか否かにより、前記補正手段による補正を行うか否かを決定する決定手段と、
前記画像データに基づく画像がＯＳＤ画像であるか否かを判断するＯＳＤ画像判断手段と、を備え、
前記決定手段は、
前記ＯＳＤ画像判断手段により当該画像がＯＳＤ画像であると判断された場合に、前記補正手段により前記補正を行うと決定することを特徴とする液晶表示装置。
【発明の詳細な説明】
【技術分野】
【０００１】
本発明は、液晶表示装置に関する。
【背景技術】
【０００２】
近年、液晶パネルの背面側からバックライト光を照射し、液晶パネル上に画像を表示する液晶表示装置が普及している。
上記バックライト光の光源として、例えば、ＬＥＤ（Ｌｉｇｈｔ  Ｅｍｉｔｔｉｎｇ  Ｄｉｏｄｅ）が用いられるが、このＬＥＤ個々の性能差（個体差）や経年変化などによって、輝度や発色にばらつきが生じることがある。このような場合、表示画面上の明るさが場所によって異なり、表示画面に明るさムラを発生させる。
【０００３】
そこで、上記のような明るさムラを補正する手段として、例えば、画像信号の入力を受け、表示部の表示画面を複数の領域に区分した各画面領域に含まれる画素の階調値を判別し、その階調値や、各画面領域についての輝度値、及び所定の修正係数に基づいて、各画面領域についての修正した階調値を算出し、その階調値に基づく表示画像を各画面領域で表示する方法が知られている（例えば、特許文献１参照）。
また、明るさムラを補正するにあたって、ユーザによってあらかじめ設定されている条件（ファイル名やアプリケーション名、機能名、などによって指定される条件）を満たした場合に上記のような補正を実行する方法が知られている（例えば、特許文献２参照）。
【特許文献１】特開２００６−１８４３０５号公報
【特許文献２】特開２００８−５８５０６号公報
【発明の開示】
【発明が解決しようとする課題】
【０００４】
しかしながら、特許文献１に記載の発明のような明るさムラの補正を行うと、明るさムラの生じている分だけ画面領域全体にわたって階調値を低下させるように修正がなされるので、結果的に表示画面は補正前よりも全体的に暗くなってしまう。そのため、例えば、表示画面に表示される画像が動画像等のように比較的明るさムラの目立ちにくいものであっても、表示画面に画像が表示される都度、自動的に上記補正が実行されてしまうため、画像が識別し辛くなるという問題があった。また、当該補正処理の実行によって、動画像等の画像表示に遅れが生じるという問題もあった。
一方で、特許文献２に記載の発明では、ユーザによってあらかじめ設定されている条件を満たさなければ補正はなされないが、その条件はファイル名やアプリケーション名、機能名、等に基づく事前設定を必要とするものであり、表示画面上にその時々に表示される画像に対して明るさムラの補正を行うべきか否かの判断はなされない。そのため、特許文献２に記載の発明も特許文献１に記載の発明と同様の問題が発生し得た。
【０００５】
本発明の課題は、表示領域に表示される画像に応じて、明るさムラの補正を好適に行うことが出来る液晶表示装置を提供することである。
【課題を解決するための手段】
【０００６】
上記課題を解決するため、請求項１に記載の発明は、
画像データに基づく画像を表示する表示領域を複数のサブ表示領域に分割した液晶パネルと、当該サブ表示領域の各々に対応して配置された複数の光源からなるバックライトと、前記光源ごとの輝度のバラツキに関する輝度調整データを記憶する記憶手段と、前記記憶手段により記憶された輝度調整データに基づいて、前記光源から出力され前記液晶パネルを通過した光の輝度の前記光源間のバラツキをなくすように、画像データを補正する補正手段と、を備えた液晶表示装置において、
前記画像データが、予め設定された条件を満たすか否かにより、前記補正手段による補正を行うか否かを決定する決定手段を備え、
前記補正手段は、前記決定手段により前記補正を行うと決定された場合に前記補正を行うことを特徴とする。
【０００７】
請求項２に記載の発明は、請求項１記載の液晶表示装置において、前記画像データに基づく画像が静止画像であるか否かを判断する静止画像判断手段を備え、前記決定手段は、前記静止画像判断手段により当該画像が静止画像であると判断された場合に、前記補正手段により前記補正を行うと決定することを特徴とする。
【０００８】
請求項３に記載の発明は、請求項１記載の液晶表示装置において、前記画像データに基づく画像に使用された同色の当該画像全体に占める比率を算出する比率算出手段と、前記比率算出手段により算出された前記比率が所定値を上回るか否かを判断する比率判断手段と、を備え、前記決定手段は、前記比率判断手段により前記比率が所定値を上回ると判断された場合に、前記補正手段により前記補正を行うと決定することを特徴とする。
【０００９】
請求項４に記載の発明は、請求項１記載の液晶表示装置において、フレーム間の画像データを比較して、画像データの変化量を算出する変化量算出手段と、前記変化量算出手段より算出された変化量が所定値を下回るか否かを判断する変化量判断手段と、を備え、前記決定手段は、前記変化量判断手段により前記変化量が所定値を下回ると判断された場合に、前記補正手段により前記補正を行うと決定することを特徴とする。
【００１０】
請求項５に記載の発明は、画像データに基づく画像を表示する表示領域を複数のサブ表示領域に分割した液晶パネルと、当該サブ表示領域の各々に対応して配置され所定の輝度で発光する複数のＬＥＤ光源からなるバックライトと、前記ＬＥＤ光源ごとの輝度のバラツキに関する輝度調整データを記憶する記憶手段と、前記記憶手段により記憶された輝度調整データに基づいて、前記ＬＥＤ光源から出力され前記液晶パネルを通過した光の輝度の前記ＬＥＤ光源間のバラツキをなくすように、画像データを補正する補正手段と、を備えた液晶表示装置において、前記画像データが、予め設定された条件を満たすか否かにより、前記補正手段による補正を行うか否かを決定する決定手段と、前記画像データに基づく画像がＯＳＤ画像であるか否かを判断するＯＳＤ画像判断手段と、を備え、前記決定手段は、前記ＯＳＤ画像判断手段により当該画像がＯＳＤ画像であると判断された場合に、前記補正手段により前記補正を行うと決定することを特徴とする。
【発明の効果】
【００１１】
本発明によれば、表示領域に表示される画像の画像データが、予め設定された条件を満たすか否かにより、補正手段による当該画像データの補正を行うか否かを決定することが出来るように構成されている。
つまり、本発明によると、表示領域に表示される画像データに基づく画像が、例えば、動画像等の明るさムラの目立ちにくい画像であり、明るさムラの補正を行わなくてもよい場合は補正を行わないと決定し、逆に、静止画像等の明るさムラの目立ちやすい画像であり、明るさムラの補正を行う必要がある場合は補正を行うと決定する等、表示画面上にその時々に表示される画像ごとに補正の実行の有無を決定することが可能となる。
よって、本発明は、表示領域に表示される画像に応じて、明るさムラの補正を好適に行うことが出来る液晶表示装置であるといえる。
【発明を実施するための最良の形態】
【００１２】
以下、本発明の実施の形態について図面を参照しながら説明する。なお、発明の範囲は図示例に限定されない。
図１は、本実施形態の液晶表示装置の要部構成を示すブロック図である。また、図２（Ａ）は、本実施形態の液晶パネル５の表示領域を構成するサブ表示領域Ｓを説明するための図であり、図２（Ｂ）は、本実施形態のバックライト８を構成する光源Ｌを説明するための図である。
【００１３】
本実施形態の液晶表示装置１００は、例えば、図１に示すように、信号入力部１、映像処理部２、タイミング制御部３、フレームメモリ４、液晶パネル５、走査線駆動部６、信号線駆動部７、バックライト８、バックライト制御部９、選択操作部１０、制御部１２等を備える。
【００１４】
信号入力部１は、例えば、テレビジョン放送信号を受信するアンテナ及びチューナや、外部装置からの画像信号を受信する各種映像端子等を備えて構成され、入力される画像信号（画像データ）を受信して、映像処理部２に出力する。
【００１５】
映像処理部２は、Ａ／Ｄ変換回路、ＲＧＢ生成回路、画質調整回路等を備えて構成され、信号入力部１から供給される画像信号に基づいて、ＲＧＢのデジタル画像信号を生成し、液晶パネル５の画素数に応じたスケーリング処理を行って、１フレーム分の画像信号を生成する。さらに、１フレーム分の画像信号に対して、制御部１２から出力される画質調整信号に基づいて、ブライトネス、コントラスト、色の濃さ、色合い、シャープネス等の各種画質調整を行った後に、フレームメモリ４に出力する。
また、後述の補正プログラム１２５ｂの実行より補正データ記憶部１２３に記憶された補正データが入力されると、映像処理部２は、画質調整回路を介して、上記生成した画像に対するＲＧＢ値の変更処理を行うので、明るさムラのない画像を出力することが出来る。
【００１６】
タイミング制御部３は、信号入力部１から供給される画像信号に基づいて、１ライン期間を示すタイミング信号と、１フレーム期間を示すタイミング信号とを生成して、液晶表示装置１００の各部に供給する。
【００１７】
フレームメモリ４は、映像処理部２から入力される画像信号をフレーム単位で蓄積し、その画像信号を液晶ディスプレイ（図示省略）に出力する。
【００１８】
液晶パネル５は、所定の間隔を隔てて配設された一対の基板の間に液晶が封入されて成る。これら一対の基板は、偏光軸が直交した２枚の偏光板で挟まれ、背面側にはバックライト８が配設されている。液晶パネル５は、その表示領域が予め定められた分割方法で、例えば、図２（Ａ）に示すように、縦ｎ個×横ｍ個のマトリクス状に等分割された複数のサブ表示領域Ｓ（１，１）〜Ｓ（ｍ，ｎ）で構成されている。
基板の上面には、ｐ行の走査線Ｘ（Ｘ１〜Ｘｐ）及びｑ列の信号線Ｙ（Ｙ１〜Ｙｑ）が互いに直交するように配列されている。この液晶パネル５は、例えば、アクティブマトリクス駆動方式を採用しており、走査線Ｘと信号線Ｙの各交点の画素に、アクティブ素子としての薄膜トランジスタ（ＴＦＴ：  Ｔｈｉｎ  Ｆｉｌｍ  Ｔｒａｎｓｉｓｔｏｒ）が配設されている。各画素には画素電極が形成され、画素電極に対向して、対向する基板に対向電極が形成されている。また、画素電極と対向電極との対向面にはそれぞれ配向膜が形成されている。
【００１９】
走査線駆動部６は、液晶パネル５における走査線Ｘ（Ｘ１〜Ｘｐ）の各々に対応して設けられており、タイミング制御部３からのタイミング信号に従って、各走査線Ｘを順に選択して、同一の走査線Ｘ上に連なるＴＦＴをオン／オフさせる。
信号線駆動部７は、液晶パネル５における信号線Ｙ（Ｙ１〜Ｙｑ）の各々に対応して設けられており、走査線駆動部６による各走査線Ｘの走査に同期して、映像処理部２から入力される画像信号に応じた電圧を信号線Ｙに対して印加する。
走査線駆動部６及び信号線駆動部７により走査線Ｘと信号線Ｙとが駆動されると、それらの交点にある画素のＴＦＴがオンとなって画素電極に電荷が蓄積され、その画素電極と対向電極との間に挟持されている液晶の配列方向が変化して、配向膜と偏光板とともに、液晶パネル５の背面側に設けられたバックライト８から照射される光を画素単位で通過或いは遮断させる。
【００２０】
バックライト８は、液晶パネル５の各サブ表示領域Ｓに対応する複数の光源Ｌから構成されたバックライトである。また、光源Ｌの各々は、基板上の所定の位置に配置された複数のＬＥＤを備えて構成されるため、バックライト８はＬＥＤバックライトとして機能している。
【００２１】
また、液晶パネル５のサブ表示領域Ｓとバックライト８の光源Ｌとは、１対１で対応した個数となるように構成されている。
具体的には、図２（Ａ）（Ｂ）に示すように、液晶パネル５の表示領域が、縦ｎ個×横ｍ個のサブ表示領域Ｓ（１，１）〜Ｓ（ｍ，ｎ）にマトリクス状に等分割されている場合、バックライト８は、液晶パネル５における縦ｎ個×横ｍ個のサブ表示領域Ｓ（１，１）〜Ｓ（ｍ，ｎ）に１対１で対応する縦ｎ個×横ｍ個の光源Ｌ（１，１）〜Ｌ（ｍ，ｎ）から構成されている。
例えば、液晶パネル５が、７６８行（ｐ行）×１０２４列（ｑ列）の画素から成る場合に、６４行×６４列の画素を含む領域を一つのサブ表示領域Ｓとして表示領域を分割すると、液晶パネル５の表示領域全体が、縦１２個（ｎ個）×横１６個（ｍ個）のサブ表示領域Ｓから構成されることとなる。このとき、バックライト８も同様に、縦１２個（ｎ個）×横１６個（ｍ個）の光源Ｌから構成されることとなる。
【００２２】
バックライト制御部９は、制御部１２からの指示にしたがって、ＬＥＤバックライト９を構成する各光源Ｌに備わる複数のＬＥＤのうち、制御部１２から指示されたＬＥＤのみを発光させる。
【００２３】
選択操作部１０は、例えば、液晶表示装置１００の電源のＯＮ／ＯＦＦを切替えるスイッチやテレビジョン放送とビデオ入力等の画像データの出力状態を切替えるボタン等の各種ボタン／スイッチ等を備えて構成され、ユーザの操作によりユーザに所定の選択や決定を実行させることが出来る。
【００２４】
制御部１２は、例えば、ＣＰＵ（Ｃｅｎｔｒａｌ  Ｐｒｏｃｅｓｓｉｎｇ  Ｕｎｉｔ）１２１、ＣＰＵ１２１のワークエリアとして用いられるＲＡＭ（Ｒａｎｄｏｍ  Ａｃｃｅｓｓ  Ｍｅｍｏｒｙ）１２２、データの書換え及び消去が可能なＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）からなる補正データ記憶部１２３、ＣＰＵ１２１によって実行される各種プログラムを格納するＲＯＭ１２５（Ｒｅａｄ  Ｏｎｌｙ  Ｍｅｍｏｒｙ）等を備えて構成される。
【００２５】
ＣＰＵ１２１は、液晶表示装置１００の各部から入力される入力信号に応じて、ＲＯＭ１２５に格納された各種プログラムを実行するとともに、実行にかかるプログラムに基づいて各部に出力信号を出力することにより、液晶表示装置１００の動作全般を統括制御する。
【００２６】
ＲＡＭ１２２は、例えば、ＣＰＵ１２１により実行される処理プログラム等を展開するためのプログラム格納領域や、入力データや処理プログラムが実行される際に生じる処理結果等を格納するデータ格納領域などを備える。
【００２７】
補正データ記憶部１２３（記憶手段）は、後述の補正プログラム１２５ｂの実行により使用される、画像データに基づく画像の明るさムラを補正するための補正データ（輝度調整データ）を記憶している。
具体的には、補正データは、例えば、予め測定されたサブ表示領域Ｓに対応する光源Ｌごとの最高輝度から、最も低い最高輝度を示すサブ表示領域Ｓを特定し、液晶表示装置１００に表示される画像のうち最も高い輝度が必要とされる画像が、表示領域全体にわたってその特定されたサブ表示領域Ｓの最高輝度で表示されるように（つまり、サブ表示領域Ｓ相互の光の輝度のバラツキをなくすように）補正を行うためのデータである。
つまり、それぞれのサブ表示領域Ｓ（１、１）〜Ｓ（ｍ、ｎ）の輝度と上記特定されたサブ表示領域Ｓの輝度の差分量（例えば、最も低い最高輝度を示すサブ表示領域Ｓの輝度を「６０」、あるサブ表示領域Ｓの輝度を「８０」とすると、差分量は「２０」等）に基づいて、画像の各サブ表示領域Ｓの配置位置に対応する画素について、当該差分量だけ輝度を低下させるためのＲＧＢ値の変更量に関するデータである。
【００２８】
ＲＯＭ１２５は、プログラム格納エリア内に、例えば、補正プログラム１２５ｂ、画像判断プログラム１２５ｃ、比率算出プログラム１２５ｄ、比率判断プログラム１２５ｅ、決定プログラム１２５ｆ等を備えている。
【００２９】
補正プログラム１２５ｂは、例えば、ＣＰＵ１２１に、補正データ記憶部１２３に記憶された補正データに基づいて液晶表示装置１００に表示する画像データを補正する機能を実現させるプログラムである。
具体的には、ＣＰＵ１２１が補正プログラム１２５ｂを実行することにより、補正データ記憶部１２３に記憶された補正データを映像処理部２に出力し、出力される画像データに対するＲＧＢ値の変更処理を実行させることで画像データを補正することが出来る。
ＣＰＵ１２１は、かかる補正プログラム１２５ｂを実行することにより、補正手段として機能する。
【００３０】
画像判断プログラム１２５ｃは、例えば、ＣＰＵ１２１に、信号入力部１に入力された画像データの種別を判断させるプログラムである。
具体的には、ＣＰＵ１２１が画像判断プログラム１２５ｃを実行することにより、例えば、ＭＰＥＧ（Ｍｏｖｉｎｇ  Ｐｉｃｔｕｒｅ  Ｅｘｐｅｒｔ  Ｇｒｏｕｐ）等の動画規格に準拠した、連続するフレーム間の２つの画像データが信号入力部１に入力されると、その２つの画像データ間の各画素についての変化量が制御部１２に入力されるので、その画素ごとの変化量を画像全体について総和した変化量に基づいて、以下のように画像の種別が判断する。
まず、当該変化量が０に等しい場合、連続するフレーム間の２つの画像データに変化がないので、その画像データを明るさムラの目立ちやすい静止画像（例えば、ＯＳＤ画像等）と判断する。
次いで、当該変化量が０以外の値を有する場合、連続するフレーム間の２つの画像データが変化しているので、その画像データを動画像と判断する。そして、動画像についてはさらに、当該変化量が所定値（例えば、画像データの画素値の総和の５％程度の値）を下回っているか否か、つまり、一フレーム間の２つの画像データの変化が比較的緩やかで、静止画像に近く明るさムラの目立ちやすい動画像であるか否かを判断する。
したがって、ＣＰＵ１２１は、かかる画像判断プログラム１２５ｃを実行することにより、静止画像判断手段、変化量算出手段、変化量判断手段、ＯＳＤ画像判断手段として機能する。
【００３１】
比率算出プログラム１２５ｄは、例えば、ＣＰＵ１２１に、信号入力部１に入力された画像データに基づく画像に使用された同色の画像全体に占める比率を算出する機能を実現させるプログラムである。
具体的には、ＣＰＵ１２１が比率算出プログラム１２５ｄを実行することにより、例えば、信号入力部１に入力された画像データの画素ごとのＲＧＢ値を取得し、ＲＧＢ値の一致する画素の数を加算し、これを全画素数により除算して百分率換算することで、画像に使用された同色の画像全体に占める比率を算出している。
したがって、ＣＰＵ１２１は、かかる比率算出プログラム１２５ｄを実行することにより、比率算出手段として機能する。
【００３２】
比率判断プログラム１２５ｅは、例えば、ＣＰＵ１２１に、比率算出プログラム１２５ｄにより算出された比率が所定値を上回るか否かを判断する機能を実現させるプログラムである。
具体的には、ＣＰＵ１２１が比率判断プログラム１２５ｅを実行することにより、例えば、画像データに基づく画像に使用された同色の画像全体に占める比率が、所定値（例えば、３０％程度）を上回っているか否か、つまり、同じ色が多用された明るさムラの目立ちやすい画像であるか否かを判断することができる。
したがって、ＣＰＵ１２１は、かかる比率判断プログラム１２５ｅを実行することにより、比率判断手段として機能する。
【００３３】
決定プログラム１２５ｆは、例えば、ＣＰＵ１２１に、液晶表示装置１に出力される画像データが、予め設定された条件を満たすか否かにより、補正プログラム１２５ａにより画像データの補正を行うか否かを決定する機能を実現させるプログラムである。
具体的には、ＣＰＵ１２１が決定プログラム１２５ｆを実行することにより、例えば、画像判断プログラム１２５ｃの実行により、信号入力部１に入力された画像データが静止画像と判断された場合、連続するフレーム間の画像データの変化量が所定値を下回っていると判断された場合、又は、比率判断プログラム１２５ｅの実行により、画像に使用された同色の画像全体に占める比率が、所定値を上回っている場合に画像データの補正を行うと決定し、それ以外の画像データについては補正を行わないと決定することができる。
したがって、決定プログラム１２５ｆが実行されることにより、ＯＳＤ（Ｏｎ−Ｓｃｒｅｅｎ  Ｄｉｓｐｌａｙ）画像や液晶表示装置１に対して外部より入力される写真画像等のような静止画像、或いは、動画像ではあるがフレーム間での画像変化が小さく、静止画像に近い動画像、又は、画像全体に同色を多用している画像、などのように、明るさムラの目立ちやすい画像についてのみ補正を行い、フレーム間での画像変化の大きい動画像などの明るさムラの目立ちにくい画像については補正を行わないようにすることが出来る。
ＣＰＵ１２１は、かかる決定プログラム１２５ｆを実行することにより、決定手段として機能する。
【００３４】
次に、図３のフローチャートを参照しながら、本実施形態の液晶表示装置１００において行われる補正処理の流れについて説明する。
【００３５】
まず、液晶表示装置１００の信号入力部１に対して所定の画像信号（画像データ）が入力される（ステップＳ１）。
次いで、ＣＰＵ１２１は、画像判断プログラム１２５ｃを実行することにより、ステップＳ１にて入力された画像データの種別を判断する（ステップＳ２）。
次いで、ＣＰＵ１２１は、比率算出プログラム１２５ｄを実行することにより、ステップＳ１にて入力された画像データに基づく画像に使用された同色の画像全体に占める比率を算出する（ステップＳ３）。
さらに、ＣＰＵ１２１は、比率判断プログラム１２５ｅを実行することにより、ステップＳ３で算出された比率が所定値を上回っているか否かを判断する（ステップＳ４）。
次いで、ＣＰＵ１２１は、決定プログラム１２５ｆを実行することにより、当該画像データの補正を行うか否かの決定を行う（ステップＳ５）。
次いで、ＣＰＵ１２１は、ステップＳ２における判断の結果、画像データが静止画像である場合又は一フレーム間の画像データの変化量が所定値を下回っている場合（ステップＳ６；Ｙｅｓ）、補正プログラム１２５ｂを実行することにより、当該画像データの補正を実行する（ステップＳ８）。
一方で、ＣＰＵ１２１は、ステップＳ２における判断の結果、一フレーム間の画像データの変化量が所定値を下回っていない場合（ステップＳ６；Ｎｏ）、ステップＳ７の処理に進む。
そして、ＣＰＵ１２１は、ステップＳ５における判断の結果、画像に使用された同色の画像全体に占める比率が所定値を上回っている場合（ステップＳ７；Ｙｅｓ）、補正プログラム１２５ｂを実行することにより、当該画像データの補正を実行する（ステップＳ８）。
一方で、ＣＰＵ１２１は、ステップＳ５における判断の結果、画像に使用された同色の画像全体に占める比率が所定値を上回っていない場合（ステップＳ８；Ｎｏ）、当該画像データの補正は実行しない。
以上により、本処理は終了する。
【００３６】
以上説明した本実施形態における液晶表示装置１００によれば、液晶表示装置１００に出力される画像データが、予め設定された条件を満たすか否かにより、補正プログラム１２５ｂによる当該画像データの補正を行うか否かを決定プログラム１２５ｆにより決定することが出来るように構成されている。
つまり、本発明によると、液晶表示装置１００に出力される画像データに基づく画像が、例えば、動画像等の明るさムラの目立ちにくい画像であり、明るさムラの補正を行わなくてもよい場合は補正を行わないと決定し、逆に、静止画像等の明るさムラの目立ちやすい画像であり、明るさムラの補正を行う必要がある場合は補正を行うと決定する等、液晶表示装置１００にその時々に出力される画像データごとに補正の実行の有無を決定することが可能となる。
よって、本発明は、表示領域に表示される画像に応じて、明るさムラの補正を好適に行うことが出来る液晶表示装置であるといえる。
【００３７】
また、画像判断プログラム１２５ｃにより、信号入力部１に入力された画像データが静止画像であるか否か、連続するフレーム間の２つの画像データの変化が比較的緩やかで、静止画像に近く明るさムラの目立ちやすい動画像であるか否かを判断し、決定プログラム１２５ｆにより、画像データが静止画像である場合や一フレーム間の２つの画像データの変化量が所定値を下回っている場合に、当該画像データの補正を行うと決定することが出来る。  
つまり、ＯＳＤ（Ｏｎ−Ｓｃｒｅｅｎ  Ｄｉｓｐｌａｙ）画像や液晶表示装置１に対して外部より入力される写真画像等のような静止画像、或いは、動画像ではあるがフレーム間での画像変化が小さく、静止画像に近い動画像のように、明るさムラの目立ちやすい画像についてのみ補正を行うように決定することが出来る。
【００３８】
また、比率算出プログラム１２５ｄ及び比率判断プログラム１２５ｅにより、液晶表示装置１００に出力される画像データに基づく画像に使用された同色の画像全体に占める比率が、所定値を上回っているか否かを判断し、決定プログラム１２５ｆにより、前記所定値を上回っている場合に、当該画像データの補正を行うと決定することが出来る。
つまり、画像全体に同色を多用している画像のように、明るさムラの目立ちやすい画像についてのみ補正を行うように決定することが出来る。
【００３９】
なお、本発明の範囲は上記実施形態に限られることなく、本発明の趣旨を逸脱しない範囲において種々の改良並びに設計の変更を行っても良い。
例えば、サブ表示領域Ｓ及び光源Ｌの分割数及び分割方法は任意であり、少なくとも２つ以上の領域に分割されればよく、また、等分割でなくとも良い。
また、光源Ｌに備わるＬＥＤの数及び配置位置は、上記実施形態の例に限られない。
さらに、決定プログラム１２５ｆで用いられる予め設定された条件も上記実施例に限らない。例えば、決定プログラム１２５ｆは、ＣＰＵ１２１に、ユーザが選択操作部１０を介して画像データの補正を行うことを選択した場合に、補正プログラム１２５ｂにより画像データの補正を行うと決定する機能を実現させるプログラム等であってもよい。つまり、ユーザの選択により画像データの補正の必要性をその都度判断することが出来るので、ユーザにとって好適に明るさムラの補正を行うことが出来る。
【図面の簡単な説明】
【００４０】
【図１】本実施形態における液晶表示装置の要部構成を例示するブロック図である。
【図２】（Ａ）は、液晶パネルの表示領域を構成するサブ表示領域について説明する図であり、（Ｂ）は、各サブ表示領域に対応して設けられた光源について説明する図である。
【図３】本実施形態における補正処理の流れを示すフローチャートである。
【符号の説明】
【００４１】
１００    液晶表示装置
１        信号入力部
２        映像処理部
３        タイミング制御部
４        フレームメモリ
５        液晶パネル
６        走査線駆動部
７        信号線駆動部
８        バックライト
１０      選択操作部
１２      制御部
１２１    ＣＰＵ（補正手段、決定手段、静止画像判断手段、比率算出手段、比率判断手段、変化量算出手段、変化量判断手段、ＯＳＤ画像判断手段）
１２３    補正データ記憶部（記憶手段）
１２５ｂ  補正プログラム（補正手段）
１２５ｃ  画像判断プログラム（静止画像判断手段、変化量算出手段、変化量判断手段、ＯＳＤ画像判断手段）
１２５ｄ  比率算出プログラム（比率算出手段）
１２５ｅ  比率判断プログラム（比率判断手段）
１２５ｆ  決定プログラム（決定手段）
【図１】
2010097102.tif 000003
【図２】
2010097102.tif 000004
【図３】
2010097102.tif 000005